(57)【要約】【課題】  本発明は、空気調和機内部に付着した塵埃から発生するカビや菌類を抑制する空気調和機を提供することを課題とする。【解決手段】  本発明に係る空気調和機は電荷移動型触媒が塗布される。また、冷房又は除湿運転時に冷却される室内熱交換器と、室内熱交換器から流下した凝縮水を受ける露受皿とを備え、少なくとも室内熱交換器及び露受皿の何れかに電荷移動型触媒を塗布される。本発明によれば、電荷移動型触媒を塗布することにより、空気調和機内部に付着した塵埃から発生するカビや菌を抑制することがでる。【選択図】図３
2010032110.tif 000002
【特許請求の範囲】
【請求項１】
電荷移動型触媒が塗布された空気調和機。
【請求項２】
請求項１において、冷房又は除湿運転時に冷却される室内熱交換器と、前記室内熱交換器から流下した凝縮水を受ける露受皿とを備え、前記電荷移動型触媒が少なくとも前記室内熱交換器及び前記露受皿の何れかに塗布された空気調和機。
【請求項３】
請求項１又は２において、前記電荷移動型触媒は、水系塗料に含有されて塗布される空気調和機。
【発明の詳細な説明】
【技術分野】
【０００１】
本発明は、カビや菌の発生を抑制する空気調和機に関する。
【背景技術】
【０００２】
空気調和機は、室内空気を熱交換器に循環させて、加熱，冷却又は除湿した調和空気にし、これを室内に吹き出すことにより室内環境を快適なものとする。しかし、空気調和機に室内空気を循環させることで、室内で発生した悪臭や浮遊している埃が空気調和機内部に付着し、空気調和機が汚れてカビや菌が発生してしまう。これに対して、カビや菌の発生を抑制するために光触媒を用いる方法があるが、光触媒では、カビや菌と触媒が接触して酸化，還元反応をさせるために、光源が必要となる。しかしながら、空気調和機内部には光源が少なく、ＬＥＤ等の光源となる装置が必要となる。一方、光や水を必要としない触媒として、電荷移動型触媒が開発されている（例えば、特許文献１及び２参照）。
【０００３】
【特許文献１】特開２００２−１１２１号公報
【特許文献２】特開２００７−１８５５５３号公報
【発明の開示】
【発明が解決しようとする課題】
【０００４】
本発明は、空気調和機内部に付着した塵埃から発生するカビや菌類を抑制する空気調和機を提供することを課題とする。
【課題を解決するための手段】
【０００５】
本発明に係る空気調和機は電荷移動型触媒が塗布される。
【発明の効果】
【０００６】
本発明によれば、電荷移動型触媒を塗布することにより、空気調和機内部に付着した塵埃から発生するカビや菌を抑制することがでる。
【発明を実施するための最良の形態】
【０００７】
空気調和機は、室内空気を熱交換器に循環させて、加熱，冷却または除湿した調和空気にし、これを室内に吹き出すことにより室内環境を快適なものとする。このとき、循環空気中の塵埃を除去するフィルタを熱交換器の吸込み側に配置しているので、循環空気中の塵埃の大半はフィルタで捕集される。しかし、フィルタで捕集できなかった塵埃は熱交換器に長時間付着したままとなる。このように、付着してから長時間経つと、塵埃の種類によっては物理化学的に変化し、付着力を増すものや含まれるカビや菌類が成長し、その分泌物や菌糸などにより壁に強固に付着するようになる。これにより空気調和機内部で成長したカビや菌類が、運転時に室内に吹き出すことにより室内の環境を悪化させてしまう。また、冷却，除湿運転を行うと熱交換器に水分が付着し、カビや菌類が水滴と一緒に露受皿に落ちる。カビや菌類が水分と存在することにより、カビや菌類の繁殖が著しくなる。露受皿に付着したカビや菌類の繁殖が進むと、ヘドロやスライムとなり、ドレンパイプが詰まる等の問題が発生してしまう。
【０００８】
本発明は、抗菌防カビ効果のある電荷移動型触媒を空気調和機に塗布することで、空気調和機内部に付着した塵埃から発生するカビや菌類を抑制するものである。
【実施例】
【０００９】
本発明の実施例について図面を用いて説明する。まず、本発明に係る空気調和気温全体構成を、図１及び図２を用いて説明する。
【００１０】
図１は空気調和機の構成図である。空気調和機１は、室内機２と室外機３とを接続配管４で繋いで構成され、室内を空気調和する。室内機２の筐体８には送風ファン１３，フィルタ１５，熱交換器１６，露受皿１７，上下風向板１８，左右風向板１９等の基本的な内部構造体が取り付けられる。筐体８の内側に取り付けられた送風ファン１３等の基本的な内部構造体は、化粧枠７を取り付けることにより室内機２内に内包される。化粧枠７の前面には前面パネル６が取り付けられている。前面パネル６の下方には運転状況を表示する表示部１０と、別体のリモコン１１からの赤外線の操作信号を受ける受光部９とが配置されている。
【００１１】
図２は空気調和機の室内機の側断面図である。送風ファン１３が、室内空気を空気吸込み口５から吸い込んで空気吹出口１２から吹き出すように室内機２内の中央に配置されている。送風ファン１３を作動することにより空気は白抜き矢印のように流れ、通過する空気中の塵埃はフィルタ１５に捕集される。フィルタ１５は、室内空気中に含まれる塵埃を取り除くためのものであり、熱交換器１６の吸込側を覆うように配置されている。
【００１２】
熱交換器１６は送風ファン１３の吸込側に配置され、略逆Ｖ字状に形成されている。熱交換器１６は室外機３からの冷媒を通過することで温度を変動させる。また、冷房運転時や除湿運転時に室内熱交換器３３に発生する凝縮水を受けるために、室内熱交換器１６の下方に露受皿１７が配置されている。空気調和機を冷房，除湿運転とすると、熱交換器１６が冷却される。冷却された熱交換器１６に送風ファン１３を作動することで、白抜き矢印のように流れた空気が冷やされ室内を空気調和する。しかし、空気調和機を冷房，除湿運転する際に、熱交換器１６が室内空気の露点温度以下になると、空気中の水分が結露して熱交換器１６に水分が付着する。熱交換器１６に結露した水分が増えると露受皿１７へと流下し、露受皿１７に溜まった水分は露受皿１７に取り付けられたドレンホース２０に流れて室外へ排出される。
【００１３】
このように、熱交換器１６では、除湿，冷房運転時に水分が付着し、カビや菌の繁殖がし易く、水分が流れ落ちる際に一緒にカビや菌も露受皿に落ちて繁殖してしまう。本実施例においては、熱交換器１６及び露受皿１７に電荷移動型触媒２１を塗布する。特に、水分が付着し、カビや菌が発生しやすい熱交換器１６と露受皿１７に電荷移動型触媒２１を塗布することにより、空気調和機内部に付着した塵埃から発生するカビや菌を効率的に抑制することができる。
【００１４】
図３は、水系塗料２３に電荷移動型触媒２１を混ぜた触媒を塗布した表面状態を示す図である。水系塗料２３を使用することにより、塗布後の乾燥時に水分が蒸発することで、表面層に水分蒸発溝２４が生じる。水分蒸発溝２４が発生することにより、電荷移動型触媒２１が表面に存在する割合と表面積が増加するので、空気との接触面積が増え、酸化，還元反応が促進される。溶剤系塗料では、乾燥工程における乾燥時間が水系塗料２３よりも短縮することができることや、塗装後の塗膜強度において強い接着性がある等の利点があるものの、塗装や乾燥時にＶＯＣが発生して室内環境に悪影響を与えるため、溶剤系塗料を空気調和機に使用することは好ましくない。また、１液性に比べ乾燥工程における手間やコストが増大するが、２液性の塗料を使用することで、塗膜強度や表面性を向上する。尚、本実施例においては、１液性の水系塗料とし、主成分としてアクリル酸エステルを７５％使用し、水を２５％、電荷移動型触媒を５％含有した。
【００１５】
図４は抗菌試験結果を示す図であり、電荷移動型触媒２１を含有した水系塗料２３を塗布した樹脂板（縦５cm，横５cm）の抗菌試験結果を示している。電荷移動型触媒を水系塗料２３に混ぜて塗布した試験片は、抗菌活性値が大腸菌で６.３、黄色ブドウ球菌で５.０となり、抗菌効果（抗菌活性値が２.０以上）があることがわかる。
【００１６】
図５は防カビ試験結果を示す図であり、電荷移動型触媒２１を含有した水系塗料２３を塗布した樹脂板（縦５cm，横５cm）の防カビ試験結果を示している。図５から、電荷移動型触媒２１を水系塗料に混ぜて塗布した試験片は、電荷移動型触媒２１を塗布しないブランク樹脂板に比べてカビの発生が抑制されていることがわかる。
【００１７】
本実施例においては、電荷移動型触媒２１を含有した水系塗料２３の樹脂板２２への塗布量を約２０μｍとした。塗布量を多くし、膜厚を上げることで防カビ，抗菌性能をより向上させることができるが、熱交換器１６に塗布した場合、膜厚が厚くなることで通風抵抗や熱伝導が低下して、冷暖房能力が低下してしまう。
【００１８】
また、本実施例においては、水分が付着し、カビや菌が発生しやすい熱交換器１６と露受皿１７に、電荷移動型触媒２１を塗布しているが、他の空気調和機の部品についても電荷移動型触媒を塗布することで、カビや菌類の発生を防止することができる。
【００１９】
以上、本実施例によれば、抗菌防カビ効果のある電荷移動型触媒を空気調和機に塗布することで、光触媒のように光や水を必要とせずに、空気調和機内部に付着した塵埃から発生するカビや菌類を抑制することができる。これにより、室内にカビや菌を吹き出すことがないので、室内環境の悪化を防止することができる。また、露受皿のカビや菌類の繁殖を抑制して、ヘドロやスライムの発生，ドレンパイプの詰まりを防止することができる。
【００２０】
また、本実施例においては、熱交換器１６及び露受皿１７に電荷移動型触媒２１を塗布する。特に、水分が付着し、カビや菌が発生しやすい熱交換器１６と露受皿１７に電荷移動型触媒２１を塗布することにより、空気調和機内部に付着した塵埃から発生するカビや菌を効率的に抑制することができる。
【００２１】
また、本実施例においては、水系塗料に含有させて電荷移動型触媒を空気調和機に塗布する。水系塗料に混ぜて電荷移動型触媒を塗布することで、塗料乾燥時に塗料に含まれる水分が乾燥する。これにより、電荷移動型触媒が表面にあらわれるので、酸化，還元反応をより効率的に行うことができる。
【図面の簡単な説明】
【００２２】
【図１】空気調和機の構造図。
【図２】室内機の側断面図。
【図３】水系塗料に電荷移動型触媒を混ぜた触媒を塗装した樹脂表面を示す図。
【図４】抗菌試験結果を示す図。
【図５】防カビ試験結果を示す図。
【符号の説明】
【００２３】
１  空気調和機
２  室内機
３  室外機
４  接続配管
５  空気吸込み口
６  前面パネル
７  化粧枠
８  筐体
９  受光部
１０  表示部
１１  リモコン
１２  空気吹出口
１３  送風ファン
１４  羽根
１５  フィルタ
１６  熱交換器
１７  露受皿
１８  上下風向板
１９  左右風向板
２０  ドレンホース
２１  電荷移動型触媒
２２  樹脂
２３  水系塗料
２４  水分蒸発溝
【図１】
2010032110.tif 000003
【図２】
2010032110.tif 000004
【図３】
2010032110.tif 000005
【図４】
2010032110.tif 000006
【図５】
2010032110.tif 000007